(57)【要約】【課題】窓枠とユニットルームの窓開口部を寸法調整して良好に接続することができ、しかも、窓枠の障子の開閉を良好に行うことができるものとなる窓接続枠を提供する。【解決手段】建物躯体１に既設されている窓枠２と、窓枠２の室内側に設置されるユニットルーム４の窓開口部５とを接続する窓接続枠は、窓枠２の前面に当接される当接部６ａから、室内側の接続部６ｄに向かい奥行き方向に延びる奥行拡大部６ｂを有する周囲枠６と、この周囲枠６の接続部６ｄに接続される接続端７ａから、内側の接続部７ｂに向かい窓枠２に沿って平行に延びる拡幅部７ｅを有する拡幅枠７と、ユニットルーム４の窓開口部５に接続される接続部８ｂから、拡幅枠７の接続部７ｂに接続される接続端８ａに向かい奥行き方向に延びる延長部７ｃを有する窓額縁８で構成されている。【選択図】                図２
2004270289.tif 000002
【特許請求の範囲】
【請求項１】
建物躯体に既設されている窓枠と、該窓枠の室内側に設置されるユニットルームの窓開口部とを接続する窓接続枠であって、
該窓接続枠は、前記窓枠の前面に当接される当接部から、室内側の接続部に向かい奥行き方向に延びる奥行拡大部を有する周囲枠と、
該周囲枠の接続部に接続される接続端から内側の接続部に向かい、前記窓枠に沿って平行に延びる拡幅部を有する拡幅枠と、
前記ユニットルームの窓開口部に接続される接続部から、前記拡幅枠の接続部または前記周囲枠の接続部に接続される接続端に向かい、奥行き方向に延びる延長部を有する窓額縁で構成されていることを特徴とする窓接続枠。
【請求項２】
建物躯体に既設されている窓枠と、該窓枠の室内側に設置されるユニットルームの窓開口部とを接続する窓接続枠に用いる周囲枠は、
前記窓枠の前面に当接するように取り付けられる当接部と、該当接部から前記ユニットルームの窓開口部に向かい奥行き方向に延びる奥行拡大部を有し、他端側には、
前記窓枠に沿って平行に延びる拡幅枠を接続することのできる拡幅枠接続部と、前記ユニットルームの窓開口部から前記窓枠に向かい奥行き方向に延びる窓額縁を接続することのできる窓額縁接続部が設けられていることを特徴とする窓接続枠に用いる周囲枠。
【請求項３】
建物躯体に既設されている窓枠と、該窓枠の室内側に設置されるユニットルームの窓開口部とを接続する窓接続枠に用いる周囲枠は、
前記窓枠の前面に当接するように取り付けられる当接部と、該当接部から前記ユニットルームの窓開口部に向かい奥行き方向に延びる奥行拡大部を有し、他端側には、
前記窓枠に沿って平行に延びる拡幅枠の接続端を接続することのできる、凹溝形状の拡幅枠接続部が設けられていることを特徴とする窓接続枠に用いる周囲枠。
【請求項４】
建物躯体に既設されている窓枠と、該窓枠の室内側に設置されるユニットルームの窓開口部とを接続する窓接続枠に用いる周囲枠は、
前記窓枠の前面に当接するように取り付けられる当接部と、該当接部から前記ユニットルームの窓開口部に向かい奥行き方向に延びる奥行拡大部を有し、前記躯体側に予め固定される固定金具の係止片に係止して固定される突起部を備えていることを特徴とする窓接続枠に用いる周囲枠。
【請求項５】
前記窓額縁の接続端を接続し得る、前記拡幅枠の接続部、或いは前記周囲枠の接続部は、化粧枠を被せることのできる形状に形成されていることを特徴とする請求項１に記載の窓接続枠。
【発明の詳細な説明】
【０００１】
【発明の属する技術分野】
この発明は、建物躯体に既設されている窓枠と、窓枠の室内側に設置されるユニットルームの窓開口部とを接続する窓接続枠、及び、窓接続枠に用いる周囲枠に関するものである。
【０００２】
【従来の技術】
従来、建物躯体に既設されている窓枠の室内側に、ユニットバス，ユニットトイレ，シャワールーム等のユニットルームを、リフォームする際等に設置する場合、既設の窓枠と、室内側に設置されるユニットルームの窓開口部とを窓接続枠で接続する必要があった。
【０００３】
【特許文献１】
特開２００１−１６４７７２号公報
【０００４】
【発明が解決しようとする課題】
なお、既設の窓枠と、ユニットルームの窓開口部の寸法に差異がある場合には、これを吸収するために、窓接続枠は現場でサイズ調整ができる必要があり、従来では、リフォーム現場等において、良好に寸法調整することが困難なものであった。
また、既設の窓枠に開閉可能に設けられているガラス障子を、良好に開閉できるように、窓枠との間に、手の入る隙間を形成させて窓接続枠を取り付ける必要があり、従来では、良好な隙間を確保できずに、既設の窓枠のガラス障子の開閉が困難となるという問題点があった。
【０００５】
【課題を解決するための手段】
本発明は、上記従来の問題点に鑑み案出したものであって、既設の窓枠と室内側に設置されるユニットルームの窓開口部との寸法に差異が存在する場合でも、良好に現場で寸法調整して設置することができ、しかも、既設の窓枠との間に手の入る良好なスペースを確保でき、ガラス障子の開閉が容易となる窓接続枠を提供せんことを目的とし、第１の要旨は窓接続枠であり、建物躯体に既設されている窓枠と、該窓枠の室内側に設置されるユニットルームの窓開口部とを接続する窓接続枠であって、該窓接続枠は、前記窓枠の前面に当接される当接部から、室内側の接続部に向かい奥行き方向に延びる奥行拡大部を有する周囲枠と、該周囲枠の接続部に接続される接続端から内側の接続部に向かい、前記窓枠に沿って平行に延びる拡幅部を有する拡幅枠と、前記ユニットルームの窓開口部に接続される接続部から、前記拡幅枠の接続部または前記周囲枠の接続部に接続される接続端に向かい、奥行き方向に延びる延長部を有する窓額縁で構成されていることである。
【０００６】
また、第２の要旨は窓接続枠に用いる周囲枠であり、建物躯体に既設されている窓枠と、該窓枠の室内側に設置されるユニットルームの窓開口部とを接続する窓接続枠に用いる周囲枠は、前記窓枠の前面に当接するように取り付けられる当接部と、該当接部から前記ユニットルームの窓開口部に向かい奥行き方向に延びる奥行拡大部を有し、他端側には、前記窓枠に沿って平行に延びる拡幅枠を接続することのできる拡幅枠接続部と、前記ユニットルームの窓開口部から前記窓枠に向かい奥行き方向に延びる窓額縁を接続することのできる窓額縁接続部が設けられていることである。
【０００７】
また、第３の要旨は窓接続枠に用いる周囲枠であり、建物躯体に既設されている窓枠と、該窓枠の室内側に設置されるユニットルームの窓開口部とを接続する窓接続枠に用いる周囲枠は、前記窓枠の前面に当接するように取り付けられる当接部と、該当接部から前記ユニットルームの窓開口部に向かい奥行き方向に延びる奥行拡大部を有し、他端側には、前記窓枠に沿って平行に延びる拡幅枠の接続端を接続することのできる、凹溝形状の拡幅枠接続部が設けられていることである。
【０００８】
また、第４の要旨は窓接続枠に用いる周囲枠であり、建物躯体に既設されている窓枠と、該窓枠の室内側に設置されるユニットルームの窓開口部とを接続する窓接続枠に用いる周囲枠は、前記窓枠の前面に当接するように取り付けられる当接部と、該当接部から前記ユニットルームの窓開口部に向かい奥行き方向に延びる奥行拡大部を有し、前記躯体側に予め固定される固定金具の係止片に係止して固定される突起部を備えていることである。
【０００９】
また、第５の要旨は窓接続枠であり、窓接続枠に前記窓額縁の接続端を接続し得る、前記拡幅枠の接続部、或いは前記周囲枠の接続部は、化粧枠を被せることのできる形状に形成されていることである。
【００１０】
【発明の実施の形態】
以下、本発明の実施例を図面に基づいて説明する。
図１は、窓接続枠の第１実施例を示す横断面構成図であり、また図２は、図１の要部を拡大して示す要部拡大図である。
【００１１】
図において、建物躯体１には既に窓枠２が設置されており、この窓枠２内には開き戸式の障子３，３が設けられている。
この窓枠２の室内側に、例えばユニットバスをリフォームして設置する際に、ユニットバスの壁４に形成されている浴室の窓開口部５と、窓枠２の寸法が異なっており、広い窓枠２と狭いユニットバスの窓開口部５を接続するために、現場で取り付けられる窓接続枠は、周囲枠６と、拡幅枠７と、窓額縁８で構成されており、周囲枠６は窓枠２の室内側に当接状に取り付けられるものであり、この周囲枠６に対して拡幅枠７が取り付けられ、拡幅枠７に対して窓額縁８が取り付けられるものである。
【００１２】
周囲枠６は、複数のビス９，９，９により、窓枠２の室内側前面に当接状に躯体１に固定されるものである。
周囲枠６は、窓枠２の室内側前面に当接される当接部６ａと、この当接部６ａから奥行き方向、即ちユニットバスの窓開口部５側へ向かって、奥行き方向に延びる奥行拡大部６ｂと、この奥行拡大部６ｂの先端で当接部６ａと平行状を成す立上片６ｃと、立上片６ｃの先端で奥行拡大部６ｂと平行状に室内側へ延びる接続部６ｄで構成されている。
【００１３】
奥行拡大部６ｂにビス９を通し、ビス９を介し建物躯体１に固定することができ、その後に、この周囲枠６の接続部６ｄに対し、拡幅枠７の接続端７ａが接続されるものである。
拡幅枠７は、接続端７ａから内側の接続部７ｂに向かって窓枠２に沿って平行に延びる拡幅部７ｅを備えており、接続部７ｂは、外片７ｃと内片７ｄにより、凹溝状に形成されており、この凹溝状の接続部７ｂ内に、窓額縁８の接続端８ａを差込んで、ビス１０により拡幅枠７と窓額縁８を接続できるように構成されている。
【００１４】
窓額縁８は、ユニットバスの窓開口部５に接続部８ｂを当接させて、この接続部８ｂから接続端８ａ側に向かって奥行き方向に延長部８ｃが延びており、この延長部８ｃの外周には、補強用のリブ８ｄ，８ｄが一体形成されている。
なお、拡幅枠７の接続部７ｂ内に窓額縁８の接続端８ａを差込む際に、リブ８ｄも共に差込みできるように接続部７ｂの凹溝の幅は設定されており、リブ８ｄが嵌まり込まない場合には、ガタツキを抑えるためにスペーサー１３を接続部７ｂ内に嵌め込む場合もある。
【００１５】
なお、窓額縁８の接続部８ｂは、ユニットバスの窓開口部５の内側にビス１１で固定され、この接続部８ｂには、後に化粧カバー１２が被せられてビス１１が隠されるものである。
このような構成部材を現場で取り付ける際に、既設の窓枠２の寸法と、ユニットバスの窓開口部５の寸法の差を吸収させるために、現場で寸法調整が行われるが、拡幅枠７の接続端７ａ側を適宜現場で切断することにより、左右方向の寸法を現場で調整することができるものとなり、また、窓額縁８の接続端８ａ側を適宜現場で切断することにより、奥行き方向の長さ寸法を調整することができるものである。
【００１６】
従って、現場の窓枠２の寸法とユニットバスの開口部５の寸法差に対応させて、拡幅枠７の拡幅部７ｅを切断により長さ調整して、左右方向の寸法差を吸収させることができ、また、窓枠２とユニットバスの窓開口５間の奥行き寸法は、窓額縁８の延長部８ｃを切断により長さ調整して、良好に行うことができるものであり、既設の窓枠２とユニットバスの窓開口部５間を水密構造で接続でき、しかも意匠性に優れた良好な接続状態を確保することができるものとなり、あらゆる大きさの窓枠２に対応させて、ユニットバスの窓開口部５との接続が可能となる。
また、窓枠２と拡幅枠７間には周囲枠６が設けられて、この周囲枠６の奥行拡大部６ｂにより、窓枠２の室内側前面と拡幅枠７の拡幅部７ｅ間には、手が入る良好な隙間が形成されることとなり、この隙間内に手を入れて、窓枠２の障子３の開閉を行うことができるものとなる。
【００１７】
次に、図３の横断面図で、また図４の要部拡大図で示す第２実施例では、既設の窓枠２とユニットバスの窓開口部５の寸法の差が小さい場合において適用される構造であり、前記周囲枠６の構造を変更させて、この周囲枠６に直接窓額縁８を接続することのできる構造である。
【００１８】
図４に示すように、本例で用いられる周囲枠６には、拡幅枠７を接続するための拡幅枠接続部６ｄと共に、窓額縁８を接続することのできる窓額縁接続部６ｆが形成されている。
この周囲枠６は、当接部６ａ，奥行拡大部６ｂ，立上片６ｃがコの字状に形成され、立上片６ｃから奥行き方向に溝片６ｉが形成され、更に延長して外片６ｇが形成されており、溝片６ｉから立上片６ｃと平行状に、別の立上片６ｅが形成されて、立上片６ｅから外片６ｇに平行状に奥行き方向に向かって内片６ｈが一体形成されて、前記立上片６ｃと立上片６ｅ間に凹溝状に拡幅枠接続部６ｄが形成され、また、外片６ｇと内片６ｈ間に凹溝状に窓額縁接続部６ｆが形成されている。
【００１９】
拡幅枠接続部６ｄ内には、拡幅枠７の接続端７ａを差込んで接続することができ、また、窓額縁接続部６ｆ内には、窓額縁８の接続端８ａをスペーサー１３またはリブ８ｄを介在させて差込み、ビス１４で連結することができるものである。
【００２０】
図３では、窓枠２の左側においては、周囲枠６に直接窓額縁８が接続されており、窓枠２の右側においては、周囲枠６と窓額縁８間に拡幅枠７が介在されているものである。
このように、現場の窓枠２とユニットバスの窓開口部５の開口寸法差に対応させて、左右方向の一方側のみに拡幅枠７を用いて、現場で寸法調整できるものである。
即ち、窓接続枠の上下左右の何れかが拡幅枠７を設ける必要が無い場合には、周囲枠６と窓額縁８を直接接続して繋ぐことができ、ユニットバスの窓開口部５に対し接続できる窓枠２の対応範囲が広くなるものである。
【００２１】
次に、図５の縦断面図で、また図６の横断面図で示すものは、第３実施例である。
本例においては、周囲枠６を躯体１に取り付ける構造が変更されており、躯体１に所定間隔で予め固定金具１５，１５，１５を取り付けておき、この固定金具１５，１５，１５に対し、嵌め込み状に周囲枠６を取り付けできるように構成したものであり、また、周囲枠６の形状を多少変更させたものである。
まず、窓枠２の室内側の躯体１に、ビス９を介し、予め取り付けられる固定金具１５を、図８に拡大して示し説明する。
【００２２】
固定金具１５は、ビス９を通すビス孔１５ｂが形成された固定片１５ａの両側から、それぞれ立上片１５ｃ，１５ｃが立ち上げられており、この一対の立上片１５ｃ，１５ｃの先端には、クの字状に折り曲げて係止片１５ｄ，１５ｄ，１５ｄが４個一体形成されて構成されている。
この固定金具１５をビス９で予め躯体１に複数固定しておき、この固定金具１５に対し、周囲枠６を、図９の斜視図で示すように、嵌め込んで取り付けできるものである。
【００２３】
なお、図５及び図６では、窓枠２の上下方向は、周囲枠６に直接窓額縁８が接続されるものであり、左右方向のみが拡幅枠７が用いられて寸法調整されるものである。
即ち、窓枠２の上下寸法とユニットバスの窓開口部５の上下寸法は、ほぼ同一であり、左右方向寸法にのみ差異がある場合の接続構造を、図５及び図６に示している。上下方向では、周囲枠６に対し窓額縁８が直接接続されるため、その接続部の要部を図７に拡大して示す。
即ち、上下方向においても、躯体１に所定間隔でビス９を介して、予め固定金具１５，１５，１５が固定されるのであるが、躯体１の内側に添木１６を介在させておき、この添木１６に固定金具１５がビス９で予め固定されるものである。
【００２４】
図７に拡大して示すように、本例における周囲枠６は、窓枠２に当接される当接部６と、奥行き方向に延びる奥行拡大部６ｂと、立上片６ｃでコの字状に形成され、立上片６ｃから奥行き方向に溝片６ｉが形成されて、溝片６ｉから立上片６ｃと平行状に立上片６ｅが一体形成され、この立上片６ｃと溝片６ｉと立上片６ｅ間で凹溝状の拡幅枠接続部６ｄが形成されている。また、立上片６ｅから奥行き方向に内片６ｈが延出されており、この内片６ｈにより添木１６との間に凹溝状の額縁枠接続部６ｆが形成されて、この窓額縁接続部６ｆ内に、窓額縁８の接続端８ａを差込んで、ビス１４により窓額縁８と周囲枠６が連結されるものである。
【００２５】
また、ビス１４の頭部を隠すために、周囲枠６の内片６ｈ上には、略コの字状断面を成す化粧枠１７が被せられるものであり、化粧枠１７に設けられている内側の突起１７ａ，１７ａが、被せ状態で係止されるように、周囲枠６の内片６ｈには、外側へ突出して係止突起６ｌ，６ｌが一体形成されている。
即ち、周囲枠６の内片６ｈは、化粧枠１７を被せることのできる形状に設定されている。
また、周囲枠６の前記当接部６ａと立上片６ｃの内側にも突出して突起部６ｋ，６ｋが一体形成されており、この突起部６ｋ，６ｋが、固定金具１５の係止片１５ｄ，１５ｄに係止されて、周囲枠６が固定金具１５に固定状に取り付けられるものである。
即ち、固定金具１５に対し周囲枠６を嵌め込んで、添木１６側に押圧することにより、固定金具１５の係止片１５ｄを乗り越えて、突起部６ｋ，６ｋが係止片１５ｄに係合され、この状態で、周囲枠６の固定状態が確保されるものである。
【００２６】
窓枠２の左右方向においては、ユニットバスの窓開口部５との寸法差を吸収させるために、左右または左右の何れか一方に拡幅枠７が設けられるものであり、図１０の斜視図で示すように、既に取り付けた周囲枠６の拡幅枠接続部６ｄ内に、拡幅枠７の接続端７ａを差込んで接続することができ、この場合に、接続端７ａを適宜切断して寸法調整することができ、接続端７ａは良好に周囲枠６の拡幅枠接続部６ｄ内に呑み込まれ、接続端７ａが露出することがないために、水密状でスッキリとした接続状態が得られるものである。
【００２７】
周囲枠６に拡幅枠７を取り付けた後に、図１１の斜視図で示すように、拡幅枠７の凹溝状に形成された接続部７ｂ内に、窓額縁８の接続端８ａを差込んで、窓額縁８を接続することができ、この場合にも接続端８ａを適宜切断して、奥行き方向の寸法を調整することができるものである。
また、拡幅枠７の接続部７ｂに窓額縁８の接続端８ａを差込み、ビス１０で両者を連結した後に、この接続部７ｂには内側より化粧枠１７が被せられて、ビス１０の頭部が良好に隠蔽されるものである。
即ち、拡幅枠７の接続部７ｂを構成する内片７ｄは、化粧枠１７を被せることのできる形状に形成されており、化粧枠１７の突起１７ａが係合する係止突起が形成されており、ワンタッチで化粧枠１７を嵌め込んで被せることができるように構成されている。
即ち、最終的には図１２に示すように、窓額縁８と拡幅枠７の接続部に化粧枠１７が被せられて、ビス１０が隠蔽され、スッキリとした接続状態が確保されるものである。
【００２８】
【発明の効果】
本発明の窓接続枠は、建物躯体に既設されている窓枠と、該窓枠の室内側に設置されるユニットルームの窓開口部とを接続する窓接続枠であって、該窓接続枠は、前記窓枠の前面に当接される当接部から、室内側の接続部に向かい奥行き方向に延びる奥行拡大部を有する周囲枠と、該周囲枠の接続部に接続される接続端から内側の接続部に向かい、前記窓枠に沿って平行に延びる拡幅部を有する拡幅枠と、前記ユニットルームの窓開口部に接続される接続部から、前記拡幅枠の接続部または前記周囲枠の接続部に接続される接続端に向かい、奥行き方向に延びる延長部を有する窓額縁で構成されていることにより、拡幅枠を任意の長さに切断して長さ調整することができ、また窓額縁も任意の長さに切断して奥行き長さを調整することができ、ユニットルームの窓開口部より既設の窓枠の寸法が大きい場合にも、優れた意匠性を呈して接続することができ、あらゆる大きさの窓枠と接続することが可能となる。
また、窓枠と拡幅枠との間に周囲枠による隙間が形成されるため、この隙間内に手を入れて、良好に窓枠の障子を開閉することができるものとなり、窓の障子の開閉をする際にも、不都合なく行うことができる効果を有する。
【００２９】
また、建物躯体に既設されている窓枠と、該窓枠の室内側に設置されるユニットルームの窓開口部とを接続する窓接続枠に用いる周囲枠は、前記窓枠の前面に当接するように取り付けられる当接部と、該当接部から前記ユニットルームの窓開口部に向かい奥行き方向に延びる奥行拡大部を有し、他端側には、前記窓枠に沿って平行に延びる拡幅枠を接続することのできる拡幅枠接続部と、前記ユニットルームの窓開口部から前記窓枠に向かい奥行き方向に延びる窓額縁を接続することのできる窓額縁接続部が設けられていることにより、周囲枠の拡幅枠接続部に拡幅枠を寸法調整して接続することも、また、周囲枠の窓額縁接続部に、直接窓額縁を接続することもでき、上下左右の何れかが拡幅枠を設ける必要がない場合には、周囲枠と窓額縁を直接接続することができて、ユニットルームの窓開口部に対し接続できる窓枠の対応範囲が広くなる効果を有する。
【００３０】
また、建物躯体に既設されている窓枠と、該窓枠の室内側に設置されるユニットルームの窓開口部とを接続する窓接続枠に用いる周囲枠は、前記窓枠の前面に当接するように取り付けられる当接部と、該当接部から前記ユニットルームの窓開口部に向かい奥行き方向に延びる奥行拡大部を有し、他端側には、前記窓枠に沿って平行に延びる拡幅枠の接続端を接続することのできる、凹溝形状の拡幅枠接続部が設けられていることにより、周囲枠の拡幅枠接続部に拡幅枠の接続端を差込んで接続することができ、拡幅枠の接続端の切断した小口が露出することがなく、凹溝状の拡幅枠接続部内に呑み込まれるために、意匠性に優れた接続状態が得られる効果を有する。
【００３１】
また、建物躯体に既設されている窓枠と、該窓枠の室内側に設置されるユニットルームの窓開口部とを接続する窓接続枠に用いる周囲枠は、前記窓枠の前面に当接するように取り付けられる当接部と、該当接部から前記ユニットルームの窓開口部に向かい奥行き方向に延びる奥行拡大部を有し、前記躯体側に予め固定される固定金具の係止片に係止して固定される突起部を備えていることにより、周囲枠をビスで固定する必要がなく、予め固定された固定金具に、突起部を介し、ワンタッチで嵌め込み状に固定することができ、周囲枠の施工が容易となり、またビスの頭部等が見えることがなく、意匠性に優れた周囲枠の取付状態が得られる効果を有する。
【００３２】
また、前記窓額縁の接続端を接続し得る、前記拡幅枠の接続部、或いは前記周囲枠の接続部は、化粧枠を被せることのできる形状に形成されていることにより、化粧枠は周囲枠または拡幅枠の何れの接続部にも被せて用いることにより、ビスの頭部を隠蔽させて、接続部の意匠性を向上させることができる効果を有する。
【図面の簡単な説明】
【図１】第１実施例の窓接続枠の横断面構成図である。
【図２】図１の要部拡大図である。
【図３】第２実施例の窓接続枠の横断面構成図である。
【図４】図３の要部拡大図である。
【図５】第３実施例の窓接続枠の縦断面構成図である。
【図６】第３実施例の窓接続枠の横断面構成図である。
【図７】窓接続枠の周囲枠と窓額縁との接続構造を示す拡大縦断面構成図である。
【図８】固定金具の斜視構成図である。
【図９】躯体に予め固定金具を固定しておき、この固定金具に対し周囲枠を取り付ける作業説明図である。
【図１０】更に取り付けた周囲枠に対し拡幅枠を取り付ける作業説明図である。
【図１１】更に取り付けた拡幅枠に対し窓額縁を取り付ける作業説明図である。
【図１２】更に接続部に化粧枠を被せる作業説明図である。
【符号の説明】
１    躯体
２    窓枠
３    障子
４    ユニットバスの壁
５    浴室の窓開口部
６    周囲枠
６ａ    当接部
６ｂ    奥行拡大部
６ｃ    立上片
６ｄ    拡幅枠接続部
６ｅ    立上片
６ｆ    窓額縁接続部
６ｇ    外片
６ｈ    内片
６ｉ    溝片
６ｋ    突起部
６ｌ    係止突起
７    拡幅枠
７ａ    接続端
７ｂ    接続部
７ｃ    外片
７ｄ    内片
７ｅ    拡幅部
８    窓額縁
８ａ    接続端
８ｂ    接続部
８ｃ    延長部
８ｄ    リブ
９，１０，１１，１４    ビス
１２    化粧カバー
１３    スペーサー
１５    固定金具
１５ａ    固定片
１５ｃ    立上片
１５ｄ    係止片
１７    化粧枠
１７ａ    突起
【図１】
2004270289.tif 000003
【図２】
2004270289.tif 000004
【図３】
2004270289.tif 000005
【図４】
2004270289.tif 000006
【図５】
2004270289.tif 000007
【図６】
2004270289.tif 000008
【図７】
2004270289.tif 000009
【図８】
2004270289.tif 000010
【図９】
2004270289.tif 000011
【図１０】
2004270289.tif 000012
【図１１】
2004270289.tif 000013
【図１２】
2004270289.tif 000014